(57)【要約】      （修正有）【課題】ＶＧＡ映像を自動調整する映像延長伝送システムを提供する。【解決手段】ＶＧＡ映像延長伝送システムは、第１映像信号を提供する映像出力源、試験信号を提供する試験回路、第１映像及び試験信号をエンコードして伝送信号を形成する映像エンコード伝送回路、伝送信号を受け取り並びにデコードして第２映像及び試験信号を生成する映像デコード受信回路、第２映像及び試験信号を受け取り並びに検出比較後に調整信号を生成する映像比較回路、調整信号を受け取った後に、自動的に第２映像信号を調整して第３映像信号となす、映像増強補償回路、第２映像信号を受け取り、並びに調整後に上述の第３映像信号を受け取る映像表示設備、以上を包含する。技術者が人の目で校正調整を行っていたのに対して自動で調整し、経験不足による調整後のひずみの発生を効果的に無くす。【選択図】図２
0003184967.tif 000002
【実用新案登録請求の範囲】
【請求項１】
自動映像調整のＶＧＡ映像延長伝送システムにおいて、
第１映像信号を提供する映像出力源と、
試験信号を提供する試験回路と、
上述の映像出力源及び上述の試験回路に電気的に接続されて、上述の第１映像信号及び試験信号を受け取り、並びにエンコードして伝送信号を生成する映像エンコード伝送回路と、
上述の映像エンコード伝送回路に電気的に接続されて、上述の伝送信号を受け取り、並びにデコードして第２映像信号及び試験信号を生成する映像デコード受信回路と、
上述の映像デコード受信回路に電気的に接続されて、上述の第２映像信号及び試験信号を受け取り及び伝送する映像増強補償回路と、
上述の映像増強補償回路に電気的に接続されて、上述の第２映像信号及び試験信号を受け取り、並びに上述の第２映像信号及び試験信号を検出比較した後に調整信号を生成する映像検出比較回路と、
上述の映像増強補償回路に電気的に接続され、上述の第２映像信号を受け取る映像表示設備と、
を包含し、上述の映像増強補償回路が上述の調整信号を受け取った後に、自動的に上述の第２映像信号を調整して第３映像信号を生成し、上述の映像表示設備は上述の映像検出比較回路の調整後に、上述の第３映像信号の受信を開始し、並びに上述の第３映像信号を以て映像フレームを表示することを特徴とする、自動映像調整のＶＧＡ映像延長伝送システム。
【請求項２】
請求項１記載の自動映像調整のＶＧＡ映像延長伝送システムにおいて、上述の映像検出比較回路は、ＲＧＢ時間比較回路、シャープネス検出回路及び輝度検出回路を包含することを特徴とする、自動映像調整のＶＧＡ映像延長伝送システム。
【請求項３】
請求項２記載の自動映像調整のＶＧＡ映像延長伝送システムにおいて、上述のＲＧＢ時間比較回路はＲＧＢ三原色の間の遅延時間の検出に用いられ、並びに遅延が最多の色光原色を基準とし、その他の二つのリード色光源色の遅延信号を増加する制御を行ない、色光三原色の間の遅延時間を無くすことを特徴とする、自動映像調整のＶＧＡ映像延長伝送システム。
【請求項４】
請求項２記載の自動映像調整のＶＧＡ映像延長伝送システムにおいて、上述のシャープネス検出回路が検出して減少が必要であると判断するとき、まずシャープネスの補償制御信号を最大値に設定し、その後、補償信号を、検出結果が変わるまで逐次逓減し、もし上述のシャープネス検出回路が検出して増加が必要であると判断するとき、まずシャープネスの補償制御信号を最小値に設定し、その後、補償信号を、検出結果が変わるまで逐次逓増することを特徴とする、自動映像調整のＶＧＡ映像延長伝送システム。
【請求項５】
請求項２記載の自動映像調整のＶＧＡ映像延長伝送システムにおいて、上述の輝度検出回路が検出電圧が目標値より小さいことを測定するとき、ゲインの補償信号を最小値に設定し、その後、検出結果が変わるまで補償信号を逐次増加し、上述の輝度検出回路が検出電圧が目標値より大きいことを測定するとき、ゲインの補償信号を最大値に設定し、その後、検出結果が変わるまで補償信号を逐次減少することを特徴とする、自動映像調整のＶＧＡ映像延長伝送システム。
【請求項６】
請求項２記載の自動映像調整のＶＧＡ映像延長伝送システムにおいて、上述の調整信号は、ＲＧＢ補償信号、シャープネス補償信号及びゲイン補償信号を包含することを特徴とする、自動映像調整のＶＧＡ映像延長伝送システム。
【請求項７】
請求項１記載の自動映像調整のＶＧＡ映像延長伝送システムにおいて、上述の第１映像信号は、複数の、循環間隔配列された可視領域と不可視領域を具え、上述の映像エンコード伝送回路は上述の試験信号を、上述の第１映像信号の不可視領域中に加えることを特徴とする、自動映像調整のＶＧＡ映像延長伝送システム。
【請求項８】
請求項１記載の自動映像調整のＶＧＡ映像延長伝送システムにおいて、上述の映像エンコード伝送回路及び映像デコード受信回路の間はケーブルで接続されることを特徴とする、自動映像調整のＶＧＡ映像延長伝送システム。
【請求項９】
請求項８記載の自動映像調整のＶＧＡ映像延長伝送システムにおいて、上述のケーブルはＣＡＴ５線、ＣＡＴ５Ｅ線及びＣＡＴ６線のいずれかとされることを特徴とする、自動映像調整のＶＧＡ映像延長伝送システム。
【考案の詳細な説明】
【技術分野】
【０００１】
本考案は一種の、アナログ信号形式の伝送を採用するＶＧＡ映像延長伝送システムに係り、特に、検出比較回路を具えてＶＧＡ映像を自動調整する映像延長伝送システムに関する。
【背景技術】
【０００２】
現在一般的な映像伝送延長線規格は、ＶＧＡ、ＤＶＩ或いはＨＤＭＩ（登録商標）であり、そのうち、ＶＧＡはアナログ信号のみを伝送し、ＤＶＩはアナログ及びデジタル信号を伝送できるが、両者はいずれも音声の伝送は行えず、ＨＤＭＩ（登録商標）はデジタル信号、音声、ネットワークデータ等異なるデータを伝送できる。
【０００３】
また、市場でよく見られるＶＧＡ延長器は、アナログ信号を採用して伝送するため、信号が距離の増加により遅延或いは減衰を発生する。このため、長距離（４０メートル以上）の伝送状況では、遠方で還元されるＶＧＡ映像信号は以下のようなひずみ現象を有し得る。すなわち、１．還元された映像の輝度が暗くなる。  ２．還元された映像がぼけたフレームを発生する。  ３．映像上のＲＧＢ三原色が同期しない。
【０００４】
図１を参照されたい。これにより、一般に長距離のＶＧＡ映像伝送システムでは、映像出力源２０（たとえばコンピュータ）と映像表示設備２１（たとえばスクリーン）の間に映像増強補償回路２２を設置し、映像信号が映像エンコード伝送回路２３より映像デコード受信回路２４に伝送された後に、上述の映像増強補償回路２２によりひずみ映像の調整を行い、並びに前述のひずみの異なる現象に対して、それぞれ異なる程度の調整補償を行ない、これにより、補償後の映像が映像出力源２０上のオリジナルの映像品質に、より接近できるようにしている。
【０００５】
このような映像増強補償回路を採用した場合の欠点は、手動調整を採用することにあり、このため、人力を浪費して一般建築物の機械電気施行時に一緒に映像の調整を行うため、往々にして伝送システム取付けの困難性と人件費の増加をもたらす。このほか、技術者が現場で映像システムを取り付ける時には、肉眼で５種類の映像調整機能の数値の大きさを決定しなければならず、これにより、調整上、一定の調整経験を有する技術者でなければ、正確にオリジナル映像に接近するよう映像を調整することができず、技術者が経験不足であると、往々にして映像表示設備のフレームにいくばくかの歪みが発生する。
【０００６】
伝統的な、手動調整を採用したＶＧＡ映像延長には、多くの施行上及び人力の考慮上の不足の部分があり、新規なＶＧＡ映像延長伝送システムを改良設計することで現在の欠点を改善する必要がある。
【考案の概要】
【考案が解決しようとする課題】
【０００７】
本考案の主要な目的は、一種の、自動で映像調整を行うＶＧＡ映像延長伝送システムを提供して、伝統的な技術員が目視で校正調整を行わねばならなかった点を改善し、これにより映像調整にかかる労働資源或いはコストを減らし、並びに技術者の経験不足により形成される表示設備に調整後にもひずみ映像を有する問題が発生するのを減らすことにある。
【０００８】
本考案の次の目的は、映像出力端が提供する映像信号に試験信号を加入し、長距離伝送によりひずんだ映像信号を、映像受信端で、試験信号により調整還元することで、映像表示設備上の映像フレームにオリジナル映像と同等の細緻度を現出させられるようにすることにある。
【課題を解決するための手段】
【０００９】
上述の目的を達成するため、本考案の自動映像調整のＶＧＡ映像延長伝送システムは、映像出力源、試験回路、映像エンコード伝送回路、映像デコード受信回路、映像増強補償回路、映像検出比較回路及び映像表示設備を包含する。
【００１０】
そのうち、上述の映像出力源は第１映像信号を提供し、上述の第１映像信号は、複数の、循環間隔配列された可視領域と不可視領域を具えている。上述の試験回路は独立して試験信号を提供する。また上述の映像エンコード伝送回路は上述の映像出力源及び試験回路にそれぞれ電気的に接続されて、上述の第１映像信号及び試験信号を受信するのに用いられ、並びに上述の試験信号を上述の不可視領域に加えた後に、さらにエンコードして伝送信号を生成する。
【００１１】
このほか、上述の映像デコード受信回路は上述の映像エンコード伝送回路に電気的に接続されて、上述の伝送信号を受信するのに用いられ、並びにデコードして第２映像信号及び試験信号を生成する。上述の映像増強補償回路は上述の映像デコード受信回路に電気的に接続され、上述の第２映像信号及び試験信号を受信及び伝送する。
【００１２】
さらに、上述の映像検出比較回路は上述の映像増強補償回路に電気的に接続されて、上述の第２映像信号及び試験信号を受け取り、並びに上述の第２映像信号及び試験信号を検出比較した後に調整信号を生成する。上述の映像表示設備は上述の映像増強補償回路に電気的に接続され、上述の第２映像信号を受け取る。
【００１３】
こうして本考案の映像増強補償回路に上述の調整信号を受信させて、自動的に上述の第２映像信号を調整して第３映像信号を発生させる。且つ上述の映像表示設備が上述の映像検出比較回路の調整後に、上述の第３映像信号の受信を開始し、並びに上述の第３映像信号を以て映像フレームを表示する。
【００１４】
好ましい実施例において、本考案の映像検出比較回路はＲＧＢ時間比較回路、シャープネス検出回路及び輝度検出回路を包含する。上述の調整信号は、ＲＧＢ補償信号、シャープネス補償信号及びゲイン補償信号を包含する。
【００１５】
そのうち、上述のＲＧＢ時間比較回路はＲＧＢ三原色の間の遅延時間の検出に用いられ、並びに遅延が最多の色光原色を基準とし、その他の二つのリード色光原色の遅延信号の増加を制御して、色光三原色の間の遅延時間を無くす。
【００１６】
上述のシャープネス検出回路はオフ電圧結果を検出するのに用いられ、もし減少が必要であると判断すれば、まずシャープネスの補償制御信号を最大値に設定し、その後、逐次補償信号を、検出結果が変わるまで逓減する。ただし、もし上述のシャープネス検出回路の検出で増加が必要であると判断すれば、まずシャープネス補償制御信号を最小値に設定し、その後、検出結果が変わるまで、逐次補償信号を逓増する。
【００１７】
上述の輝度検出回路は、目標電圧値を検出するのに用いられ、もし検出電圧が目標値より小さいときは、ゲインの補償信号を最小値に設定し、その後、補償信号を、検出結果が変わるまで増加する。ただし、もし輝度検出回路の検出電圧が目標値より大きければ、ゲインの補償信号は最大値に設定し、その後、逐次補償信号を、検出結果が変わるまで減少する。
【００１８】
実行可能な実施例において、上述の映像エンコード伝送回路及び映像デコード受信回路の間はケーブル接続が採用され、上述のケーブルはＣＡＴ５線、ＣＡＴ５Ｅ線及びＣＡＴ６線のいずれかとされる。
【考案の効果】
【００１９】
本考案の特徴は、全体の映像延長伝送システム中に、映像検出比較回路及び自動調整の映像増強補償回路が設計され、長距離伝送により歪みの生じた映像信号を、出力端中の試験回路が提供する試験信号により、自動的にひずんだ映像信号を調整還元し、こうして伝統的な人員が目で校正調整を行わなければならなかった問題を改善し、映像調整にかかる労働力とコストを減らし、並びに技術者の経験不足により映像表示設備に調整後にもまだひずんだ画像が表示される状況の発生を減らす。
【図面の簡単な説明】
【００２０】
【図１】伝統的な手動映像調整のＶＧＡ映像延長伝送システム図である。
【図２】本考案の自動映像調整のＶＧＡ映像延長伝送システム図である。
【図３】本考案の第１映像信号に試験信号を加える表示図である。
【図４】本考案の映像検出比較回路内部の回路モジュールの表示図である。
【図５Ａ】本考案のＲＧＢ時間比較回路の遅延時間検出の比較図である。
【図５Ｂ】本考案のＲＧＢ時間比較回路の遅延時間検出の比較図である。
【図５Ｃ】本考案のＲＧＢ時間比較回路の遅延時間検出の比較図である。
【図５Ｄ】本考案のＲＧＢ時間比較回路の遅延時間検出の比較図である。
【図６】本考案のシャープネス検出回路の補償信号逓減の表示図である。
【図７】本考案のシャープネス検出回路の補償信号逓増の表示図である。
【図８】本考案の輝度検出回路の補償信号逓増の表示図である。
【考案を実施するための形態】
【００２１】
本考案の技術内容、構造特徴、達成する目的を詳細に説明するため、以下に実施例を挙げ並びに図面を組み合わせて説明する。
【００２２】
図２を参照されたい。本考案の自動映像調整のＶＧＡ映像延長伝送システムは、映像出力源１０とされるコンピュータ、及び映像表示設備１１とされるスクリーンの間に用いられ、且つ上述の映像出力源１０及び映像表示設備１１の間の距離は５０ｍ以上でなければならず、すなわち、ＶＧＡ映像自動調整効果が比較的良好である。
【００２３】
図示されるように、本考案のＶＧＡ映像延長伝送システムは、上述の映像出力源１０及び映像表示設備１１のほか、別に両者の間に試験回路１２、映像エンコード伝送回路１３、映像デコード受信回路１４、映像増強補償回路１５及び映像検出比較回路１６が接続されている。
【００２４】
そのうち、上述の映像エンコード伝送回路１３はそれぞれ上述の映像出力源１０及び試験回路１２に電気的に接続される。上述の映像デコード受信回路１４は上述の映像エンコード伝送回路１３に電気的に接続される。上述の映像増強補償回路１５は上述の映像デコード受信回路１４及び映像表示設備１１に電気的に接続される。上述の映像検出比較回路１６は上述の映像増強補償回路１５に電気的に接続される。また、上述の映像エンコード伝送回路１３と映像デコード受信回路１４の間はケーブルで接続され、実行可能な実施例において、上述のケーブルは、ＣＡＴ５線、ＣＡＴ５Ｅ線及びＣＡＴ６線のいずれかとされる。
【００２５】
図３を参照されたい。上述の映像出力源１０は第１映像信号１０１を提供し、上述の第１映像信号１０１は、複数の循環間隔配列された可視領域１０２及び不可視領域１０３を具えている。上述の試験回路１２は独立して試験信号１２１を提供する。上述の映像エンコード伝送回路１３は上述の第１映像信号１０１及び試験信号１２１を受け取り、並びに上述の試験信号１２１を上述の不可視領域１０３に加えた後、さらにエンコードして伝送信号１３１を発生する。
【００２６】
上述の第１映像信号１０１はそれぞれＲ、Ｇ、Ｂ、Ｈｓｙｎｃ及びＶｓｙｎｃの電圧信号で構成され、図示されるように、上述の試験信号１２１はそれぞれＲ、Ｇ、Ｂ電圧信号中の不可視領域１０３中に加えられ、これにより、上述の映像表示設備１１が後で映像を放映するとき、観る者は映像フレーム中に試験信号１２１があることに気づかない。
【００２７】
このほか、上述の映像デコード受信回路１４は、上述の伝送信号１３１を受け取り、並びにデコードして第２映像信号１４１及び試験信号１２１を発生するのに用いられる。上述の映像増強補償回路１５は直接上述の第２映像信号１４１及び試験信号１２１を受け取り伝送する。また、上述の映像検出比較回路１６は上述の映像増強補償回路１５に電気的に接続され、上述の第２映像信号１４１及び試験信号１２１を受け取り、並びに上述の第２映像信号１４１及び試験信号１２１を検出比較した後に調整信号１６１を発生する。上述の映像表示設備１１は上述の映像増強補償回路１５に電気的に接続されて、上述の第２映像信号１４１を受け取る。
【００２８】
こうして、本考案の映像増強補償回路１５は上述の調整信号１６１を受け取った後、自動的に上述の第２映像信号１４１を調整して第３映像信号１５１を発生する。且つ上述の映像表示設備１１は上述の映像検出比較回路１６の調整の後、上述の第３映像信号１５１の受信を開始し、並びに上述の第３映像信号１５１を以て映像フレームを表示する。
【００２９】
図４を参照されたい。図示される好ましい実施例中、本考案の映像検出比較回路１６はＲＧＢ時間比較回路１６２、シャープネス検出回路１６３及び輝度検出回路１６４を包含し、これにより、上述の映像検出比較回路１６が発生する調整信号１６１は、ＲＧＢ補償信号、シャープネス補償信号、及びゲイン補償信号を包含する。
【００３０】
図５Ａに示されるように、本考案のＲＧＢ時間比較回路１６２がＲＧＢ三原色の間の遅延時間の検出に用いられ、並びに遅延最多の色光原色を基準とし、その他の二つのリード色光原色の遅延信号の増加を制御して、色光三原色の間の遅延時間を無くす。
【００３１】
図５Ｂを参照されたい。Ｂ電圧信号がＧ電圧信号より先に到達するとき、すなわち、Ｂの遅延（ｄｅｌａｙ）信号を増加させる制御を行う必要がある。図５Ｃに示されるように、反対に、Ｒ電圧信号がＧ電圧信号より先に到達するとき、Ｒの遅延信号を増加する制御を行う必要がある。図５Ｄに示されるように、このほか、Ｒ電圧信号がＢ電圧信号より先に到達するとき、Ｒの遅延信号を増加する制御を行う必要がある。
【００３２】
図６に示されるように、本考案のシャープネス検出回路１６３はオフ電圧結果の検出に用いられ、シャープネスの調整方式を確認する。そのうち、伝送距離が長距離であるとき、もし、減少が必要であると判断すれば、まずシャープネスの補償制御信号を最大値に設定し、その後、逐次補償信号を、検出結果が変わるまで逓減し、図示されるように、還元した検出信号結果が１から０に変わったときに、はじめてシャープネスの補償制御信号の減少を停止する。
【００３３】
図７に示されるように、本考案のシャープネス検出回路１６３が検出結果により増加が必要であると判断すると、まずシャープネスの補償制御信号を最小値に設定し、その後、逐次補償信号を、検出結果が変わるまで逓増し、図示されるように、還元した検出信号結果が０から１に変わったときに、はじめてシャープネスの補償制御信号の増加を停止する。
【００３４】
図８を参照されたい。本考案の輝度検出回路１６４は目標電圧値の検出に用いられ、もし、測定する検出電圧が目標値より小さければ、ゲインの補償信号を最小値に設定し、その後、検出電圧が理想の目標電圧に等しくなるまで補償信号を逐次増加してから、ゲインの補償制御信号の増加を停止する。
【００３５】
反対に、上述の輝度検出回路１６４は測定する検出電圧が目標値より大きければ、測定すると、ゲインの補償信号を最大値に設定し、その後、検出電圧が理想の目標電圧に等しくなるまで補償信号を逐次減少してから、ゲインの補償制御信号の減少を停止する。
【００３６】
総合すると、本考案は出力端に試験信号を加え、並びに映像検出比較回路及び映像増強補償回路の設計を組合せ、長距離伝送により歪みの生じた映像信号を、受信端で試験信号により自動的に調整還元し、伝統的な人員が目で校正調整を行わなければならなかった問題を改善し、映像調整にかかる労働力とコストを減らし、並びに技術者の経験不足により映像表示設備に調整後にもまだひずんだ画像が表示される状況の発生を減らす。
【００３７】
以上述べたことは、本考案の実施例にすぎず、本考案の実施の範囲を限定するものではなく、本考案の実用新案登録請求の範囲に基づきなし得る同等の変化と修飾は、いずれも本考案の実用新案登録請求の範囲のカバーする範囲内に属するものとする。
【符号の説明】
【００３８】
１０  映像出力源
１０１  第１映像信号
１０２  可視領域
１０３  不可視領域
１１  映像表示設備
１２  試験回路
１２１  試験信号
１３  映像エンコード伝送回路
１３１  伝送信号
１４  映像デコード受信回路
１４１  第２映像信号
１５  映像増強補償回路
１５１  第３映像信号
１６  映像検出比較回路
１６１  調整信号
１６２  時間比較回路
１６３  シャープネス検出回路
１６４  輝度検出回路
２０  映像出力源
２１  映像表示設備
２２  映像増強補償回路
２３  映像エンコード伝送回路
２４  映像デコード受信回路
【図１】
0003184967.tif 000003
【図２】
0003184967.tif 000004
【図３】
0003184967.tif 000005
【図４】
0003184967.tif 000006
【図５Ａ】
0003184967.tif 000007
【図５Ｂ】
0003184967.tif 000008
【図５Ｃ】
0003184967.tif 000009
【図５Ｄ】
0003184967.tif 000010
【図６】
0003184967.tif 000011
【図７】
0003184967.tif 000012
【図８】
0003184967.tif 000013